(57)【要約】【課題】パスワードの推定が困難であり、高いセキュリティを確保することが可能な電子機器、及びパスワード管理プログラムを提供する。【解決手段】画像を表示する表示部と、使用者が画像に対応して操作可能な操作部と、少なくとも使用者の操作に応じて表示部に所定動作を行わせる処理部と、合焦位置を複数位置に変更可能であり複数の合焦位置に亘ってオブジェクトが設けられるパスワード入力用画像を表示部に表示させる表示制御部と、表示部に表示された複数のオブジェクトから、操作部を介して選択可能な複数のオブジェクトを抽出する抽出部と、操作部を介してオブジェクトが選択される場合に、オブジェクトのそれぞれについて、選択されるオブジェクトと該オブジェクトの選択順序とを対応付けた情報を、所定動作のロック又はロック解除のパスワードとして入力する入力部とを備える。【選択図】図１
2015148880.tif 000002
【特許請求の範囲】
【請求項１】
画像を表示する表示部と、
使用者が前記画像に対応して操作可能な操作部と、
少なくとも使用者の操作に応じて前記表示部に所定動作を行わせる処理部と、
合焦位置を複数位置に変更可能であり複数の前記合焦位置に亘ってオブジェクトが設けられるパスワード入力用画像を前記表示部に表示させる表示制御部と、
前記表示部に表示された複数の前記オブジェクトから、前記操作部を介して選択可能な複数の前記オブジェクトを抽出する抽出部と、
前記操作部を介して前記オブジェクトが選択される場合に、前記オブジェクトのそれぞれについて、選択される前記オブジェクトと該オブジェクトの選択順序とを対応付けた情報を、前記所定動作のロック又はロック解除のパスワードとして入力する入力部と
を備える電子機器。
【請求項２】
前記抽出部は、前記オブジェクトの選択が行われる毎に、抽出する前記オブジェクトを変更する
請求項１に記載の電子機器。
【請求項３】
前記抽出部は、前記表示部に表示されている前記パスワード入力用画像の前記合焦位置を基準として所定範囲内の前記合焦位置に含まれる前記オブジェクトを抽出する
請求項２に記載の電子機器。
【請求項４】
前記抽出部は、複数の前記オブジェクトを１つの前記オブジェクトとして抽出する
請求項１から請求項３のうちいずれか一項に記載の電子機器。
【請求項５】
前記抽出部は、属性の共通する複数の前記オブジェクトを１つの前記オブジェクトとして抽出する
請求項４に記載の電子機器。
【請求項６】
前記抽出部は、同一の前記合焦位置に含まれる複数の前記オブジェクトを１つの前記オブジェクトとして抽出する
請求項４に記載の電子機器。
【請求項７】
前記表示制御部は、前記操作部による選択が行われる毎に、選択された前記オブジェクトの前記合焦位置で前記パスワード入力用画像を合焦させて前記表示部に表示させる
請求項１から請求項６のうちいずれか一項に記載の電子機器。
【請求項８】
前記表示制御部は、複数の前記オブジェクトが所定順序で選択可能となるように、前記表示部における前記オブジェクトの表示位置を変更して表示する
請求項１から請求項７のうちいずれか一項に記載の電子機器。
【請求項９】
前記操作部は、前記表示部に設けられたタッチパネルを有する
請求項１から請求項８のうちいずれか一項に記載の電子機器。
【請求項１０】
前記パスワード入力用画像は、三次元空間の光線集合であるライトフィールドの情報に基づいて生成された画像、又は、前記合焦位置を変化させながら連写して取得された画像である
請求項１から請求項９のうちいずれか一項に記載の電子機器。
【請求項１１】
画像を表示する表示部と、使用者が前記画像に応じて操作可能な操作部とを備え、少なくとも使用者の操作に応じて前記表示部に所定動作を行わせる電子機器の制御装置に、
合焦位置を複数位置に変更可能であり複数の前記合焦位置に亘ってオブジェクトが設けられるパスワード入力用画像を前記表示部に表示させる処理と、
前記表示部に表示された複数の前記オブジェクトから、前記操作部を介して選択可能な複数の前記オブジェクトを抽出する処理と、
前記操作部を介して前記オブジェクトが選択される場合に、前記オブジェクトのそれぞれについて、選択される前記オブジェクトと該オブジェクトの選択順序とを対応付けた情報を、前記所定動作のロック又はロック解除のパスワードとして入力する処理と
を実行させるパスワード管理プログラム。
【発明の詳細な説明】
【技術分野】
【０００１】
本発明は、電子機器、及びパスワード管理プログラムに関する。
【背景技術】
【０００２】
携帯電話や携帯情報端末などの電子機器の一例として、静止画や動画などの画像を表示する表示部と、使用者が操作可能な操作部と、使用者の操作に応じて表示部の動作を制御する処理部とを有する構成が知られている。このような構成においては、電子機器の各種動作を制限するため、必要に応じてパスワードが設定される。
【０００３】
この場合、使用者は、パスワードとして、例えば数字や英記号などの文字列を設定し、操作部を介して設定した文字列を打ち込むことにより、パスワードを入力することができる。しかしながら、このようなパスワードは、名前や生年月日など、使用者固有の文字列が選択される傾向があり、パスワードを盗用される可能性が指摘されている。
【０００４】
これに対して、例えば特許文献１に記載のように、複数の単位領域に区画されたパスワード入力領域がタッチパネルの画面に設けられ、所定の単位領域を１つ１つ所定の順序でタッチしていくことで、タッチ操作の順序をパスワードとして入力することが開示されている。
【先行技術文献】
【特許文献】
【０００５】
【特許文献１】特開２０１１−１６４７３７号公報
【発明の概要】
【発明が解決しようとする課題】
【０００６】
しかしながら、特許文献１の構成では、タッチパネルの画面に使用者の指紋の跡が残った場合、パスワードが推定されやすいという問題がある。
【０００７】
以上のような事情に鑑み、本発明は、パスワードの推定が困難であり、高いセキュリティを確保することが可能な電子機器、及びパスワード管理プログラムを提供することを目的とする。
【課題を解決するための手段】
【０００８】
本発明の第１態様によれば、画像を表示する表示部と、使用者が画像に対応して操作可能な操作部と、少なくとも使用者の操作に応じて表示部に所定動作を行わせる処理部と、合焦位置を複数位置に変更可能であり複数の合焦位置に亘ってオブジェクトが設けられるパスワード入力用画像を表示部に表示させる表示制御部と、表示部に表示された複数のオブジェクトから、操作部を介して選択可能な複数のオブジェクトを抽出する抽出部と、操作部を介してオブジェクトが選択される場合に、オブジェクトのそれぞれについて、選択されるオブジェクトと該オブジェクトの選択順序とを対応付けた情報を、所定動作のロック又はロック解除のパスワードとして入力する入力部とを備える電子機器が提供される。
【０００９】
本発明の第２態様によれば、画像を表示する表示部と、使用者が画像に応じて操作可能な操作部とを備え、少なくとも使用者の操作に応じて表示部に所定動作を行わせる電子機器の制御装置に、合焦位置を複数位置に変更可能であり複数の合焦位置に亘ってオブジェクトが設けられるパスワード入力用画像を表示部に表示させる処理と、表示部に表示された複数のオブジェクトから、操作部を介して選択可能な複数のオブジェクトを抽出する処理と、操作部を介してオブジェクトが選択される場合に、オブジェクトのそれぞれについて、選択されるオブジェクトと該オブジェクトの選択順序とを対応付けた情報を、所定動作のロック又はロック解除のパスワードとして入力する処理とを実行させるパスワード管理プログラムが提供される。
【発明の効果】
【００１０】
本発明の態様によれば、パスワードの推定が困難であり、高いセキュリティを確保することが可能な電子機器、及びパスワード管理プログラムを提供することができる。
【図面の簡単な説明】
【００１１】
【図１】（ａ）及び（ｂ）は、第１実施形態に係る電子機器の一例である情報端末の構成を示す図である。
【図２】パスワード入力用画像の一例を示す図である。
【図３】（ａ）〜（ｅ）は、表示部に表示されるパスワード入力用画像の例を示す図である。
【図４】（ａ）は合焦位置と抽出部によって抽出されるオブジェクトとの関係を示す表であり、（ｂ）はオブジェクトの属性と、その属性に属するオブジェクトとの対応関係を示す表である。
【図５】パスワードを入力させる動作を示すフローチャートである。
【図６】（ａ）〜（ｍ）は、パスワードを入力させる動作において表示部の表示状態を示す図である。
【図７】撮像装置の一例であるライトフィールドカメラにおける光学系部分の概略構成を示す断面図である。
【図８】撮像素子の画素配列と入射領域とを説明する図である。
【図９】ライトフィールドカメラの構成を示すブロック図である。
【図１０】画像の再構成を説明する図である。
【発明を実施するための形態】
【００１２】
以下、図面を参照して、本発明の実施の形態を説明する。  
図１（ａ）及び（ｂ）は、電子機器の一例である情報端末１００の構成を示す図である。  
図１（ａ）及び（ｂ）に示すように、情報端末１００は、筐体１０１と、表示部１０２と、操作部１０３と、制御装置ＣＯＮＴとを有している。情報端末１００としては、例えば携帯電話や携帯情報端末などが挙げられる。
【００１３】
筐体１０１は、例えば矩形の板状に形成されており、表示部１０２、操作部１０３及び制御装置ＣＯＮＴを収容する。筐体１０１は、例えば使用者が片手で保持できる寸法に形成されている。
【００１４】
表示部１０２は、筐体１０１の板面側に配置されており、液晶パネルや有機ＥＬパネルなどの表示パネルを有している。表示部１０２は、制御装置ＣＯＮＴの制御により、静止画や動画などの画像を表示可能である。
【００１５】
操作部１０３は、表示部１０２の表示面に配置されたタッチパネル１０３ａを有する。タッチパネル１０３ａは、使用者が触れることにより、制御装置ＣＯＮＴに対して操作信号を入力する。タッチパネル１０３ａとしては、例えば、静電容量方式の接触センサが用いられるが、静電容量方式に代えて、電磁誘導方式、赤外線方式、表面弾性波方式、抵抗膜方式、マトリクス・スイッチ方式、などとしてもよい。また、タッチパネル１０３ａとして、例えば、同時に複数個所の接触を検出することができる多点入力可能な、所謂マルチタッチパネル方式としてもよい。
【００１６】
操作部１０３としてタッチパネル１０３ａが用いられることにより、使用者が表示部１０２に表示される画像に対応して操作可能となっている。なお、操作部１０３としては、タッチパネル１０３ａに限られず、例えばアイセンサなどを用いてもよい。この場合、使用者の目の位置に応じて制御装置ＣＯＮＴに対して操作信号が入力される。
【００１７】
制御装置ＣＯＮＴは、処理部１０４と、表示制御部１０５と、抽出部１０６と、入力部１０７と、記憶部１０８とを有している。
【００１８】
処理部１０４は、少なくとも使用者の操作に応じて表示部１０２に所定動作を行わせる。所定動作としては、例えば記憶部１０８に記憶されたプログラムを実行する動作や、記憶部１０８に記憶された画像を表示部１０２に表示させる動作、各種演算を行う動作などが挙げられる。
【００１９】
例えば、処理部１０４は、使用者が情報端末１００の各種動作をロックする場合やロックを解除する場合に、使用者にパスワードを入力させるための動作を行わせる。処理部１０４は、記憶部１０８に記憶されたパスワード管理プログラムに基づいてこの動作を行わせる。パスワード管理プログラムについては、後述する。
【００２０】
表示制御部１０５は、表示部１０２の表示を制御する。表示制御部１０５は、例えば処理部１０４の動作に応じて、記憶部１０８に記憶された画像を選択して表示部１０２に表示させる。例えば、表示部１０５は、使用者にパスワードを入力させる際に、パスワード入力用画像を表示部１０２に表示させる。
【００２１】
ここで、パスワード入力用画像について説明する。図２は、パスワード入力用画像Ｐを示す図である。  
図２に示すように、パスワード入力用画像Ｐは、使用者にパスワードを入力させる際に用いられる画像である。パスワード入力用画像Ｐは、例えば後述のライトフィールドカメラ（図９等参照）によって取得されるライトフィールド（光線空間）の情報に基づいて生成された画像である。このパスワード入力用画像Ｐは、図２に示すように、合焦位置を複数の位置（合焦位置Ｐ１〜Ｐ５）に変更可能である。合焦位置Ｐ１〜合焦位置Ｐ５は、撮影位置からの距離が近い順に配列されている。したがって、合焦位置Ｐ１は撮影位置に最も近く、合焦位置Ｐ５は撮影位置に最も遠い。
【００２２】
パスワード入力用画像Ｐには、被写体としての複数のオブジェクトＯが含まれている。なお、これらのオブジェクトＯについては、例えばライトフィールドカメラ等によって撮影された画像の被写体を採用してもよい。また、撮像された画像にオブジェクトＯを加えてもよいし、撮像された画像から被写体を削除してもよい。
【００２３】
パスワード入力用画像Ｐには、例えば５つの合焦位置Ｐ１〜Ｐ５のそれぞれについてオブジェクトＯが含まれている。合焦位置Ｐ１には、星形Ｏ１１、星形Ｏ１２、ハート形Ｏ１３及び金網Ｏ１４の４つのオブジェクトＯが配置されている。合焦位置Ｐ２には、人物Ｏ２１及び人物Ｏ２２の２つのオブジェクトＯが配置されている。合焦位置Ｐ３には、樹木Ｏ３１のオブジェクトＯが配置されている。合焦位置Ｐ４には、樹木（２本）Ｏ４１、家屋Ｏ４２及び樹木（１本）Ｏ４３の３つのオブジェクトＯが配置されている。合焦位置Ｐ５には、山Ｏ５１及び森林Ｏ５２の２つのオブジェクトＯが配置されている。
【００２４】
図３（ａ）〜（ｅ）は、表示部１０２に表示されるパスワード入力用画像Ｐの例を示す図である。図３（ａ）〜（ｅ）に示すように、パスワード入力用画像Ｐは、各合焦位置Ｐ１〜Ｐ５に配置される各オブジェクトＯが重なった状態で表示される。
【００２５】
図３（ａ）は、合焦位置Ｐ１に焦点を合わせたときのパスワード入力用画像Ｐの表示例を示している。図３（ａ）に示すように、表示部１０２には、合焦位置Ｐ１に配置される星形Ｏ１１、星形Ｏ１２、ハート形Ｏ１３及び金網Ｏ１４の各オブジェクトＯが鮮明に表示されている。また、表示部１０２には、合焦位置Ｐ２〜Ｐ５に配置される他のオブジェクトＯについては画質が粗い状態で表示されている。合焦位置Ｐ２〜Ｐ５に配置されるオブジェクトＯは、合焦位置Ｐ１からの距離が離れるほど粗くなるように表示される。
【００２６】
図３（ｂ）は、合焦位置Ｐ２に焦点を合わせたときの画像Ｐの表示例を示している。図３（ｂ）に示すように、表示部１０２には、合焦位置Ｐ２に配置される人物Ｏ２１及び人物Ｏ２２の各オブジェクトＯが鮮明に表示されている。また、表示部１０２には、合焦位置Ｐ１、Ｐ３〜Ｐ５に配置される他のオブジェクトＯについては画質が粗い状態で表示されている。合焦位置Ｐ１、Ｐ３〜Ｐ５に配置されるオブジェクトＯは、合焦位置Ｐ２からの距離が離れるほど粗くなるように表示される。
【００２７】
図３（ｃ）は、合焦位置Ｐ３に焦点を合わせたときの画像Ｐの表示例を示している。図３（ｃ）に示すように、表示部１０２には、合焦位置Ｐ３に配置される樹木Ｏ３１のオブジェクトが鮮明に表示されている。また、表示部１０２には、合焦位置Ｐ１、Ｐ２、Ｐ４、Ｐ５に配置される他のオブジェクトについては画質が粗い状態で表示されている。合焦位置Ｐ１、Ｐ２、Ｐ４、Ｐ５に配置されるオブジェクトは、合焦位置Ｐ３からの距離が離れるほど粗くなるように表示される。
【００２８】
図３（ｄ）は、合焦位置Ｐ４に焦点を合わせたときの画像Ｐの表示例を示している。図３（ｄ）に示すように、表示部１０２には、合焦位置Ｐ４に配置される樹木（２本）Ｏ４１、家屋Ｏ４２及び樹木（１本）Ｏ４３の各オブジェクトが鮮明に表示されている。また、表示部１０２には、合焦位置Ｐ１〜Ｐ３、Ｐ５に配置される他のオブジェクトについては画質が粗い状態で表示されている。合焦位置Ｐ１〜Ｐ３、Ｐ５に配置されるオブジェクトは、合焦位置Ｐ４からの距離が離れるほど粗くなるように表示される。
【００２９】
図３（ｅ）は、合焦位置Ｐ５に焦点を合わせたときの画像Ｐの表示例を示している。図３（ｅ）に示すように、表示部１０２には、合焦位置Ｐ５に配置される山Ｏ５１及び森林Ｏ５２の各オブジェクトが鮮明に表示されている。また、表示部１０２には、合焦位置Ｐ１〜Ｐ４に配置される他のオブジェクトについては画質が粗い状態で表示されている。合焦位置Ｐ１〜Ｐ４に配置されるオブジェクトは、合焦位置Ｐ５からの距離が離れるほど粗くなるように表示される。
【００３０】
続いて、図１（ｂ）に示す抽出部１０６は、表示部１０２に表示されたパスワード入力用画像Ｐの複数のオブジェクトＯから、操作部１０３を介して選択可能な複数のオブジェクトＯを抽出する。抽出部１０６は、オブジェクトＯの選択が行われる毎に、抽出するオブジェクトＯを変更する。
【００３１】
また、抽出部１０６は、表示部１０２に表示されているパスワード入力用画像Ｐの合焦位置を基準として、所定範囲内の合焦位置に含まれるオブジェクトＯを抽出する。本実施形態では、所定範囲内の合焦位置として、例えば表示部１０２に表示の合焦位置を含むと共に、この合焦位置に対して２つ隣の合焦位置までを含み、３つ以上隣の合焦位置は含まないこととする。
【００３２】
図４（ａ）は、合焦位置と抽出部１０６によって抽出されるオブジェクトＯとの関係を示す表である。図４（ａ）に示す表の縦欄は、表示部１０２に表示されたパスワード入力用画像Ｐが合焦されている位置である。図４に示す表の横欄は、抽出部１０６によって抽出されるか否かの対象となる合焦位置である。
【００３３】
図４（ａ）に示すように、パスワード入力用画像Ｐが合焦位置Ｐ１で合焦されている場合、抽出部１０６は、合焦位置Ｐ１〜Ｐ３に配置されるオブジェクトＯを抽出する。また、合焦位置Ｐ４、Ｐ５に配置されるオブジェクトＯを抽出しない。この場合、合焦位置Ｐ１〜Ｐ３に配置されるオブジェクトＯは操作部１０３によって選択可能となり、合焦位置Ｐ４、Ｐ５に配置に配置されるオブジェクトＯは操作部１０３によって選択不可能となる。
【００３４】
また、パスワード入力用画像Ｐが合焦位置Ｐ２で合焦されている場合、抽出部１０６は、合焦位置Ｐ１〜Ｐ４に配置されるオブジェクトＯを抽出する。また、合焦位置Ｐ５に配置されるオブジェクトＯを抽出しない。この場合、合焦位置Ｐ１〜Ｐ４に配置されるオブジェクトＯは操作部１０３によって選択可能となり、合焦位置Ｐ５に配置に配置されるオブジェクトＯは操作部１０３によって選択不可能となる。
【００３５】
また、パスワード入力用画像Ｐが合焦位置Ｐ３で合焦されている場合、抽出部１０６は、合焦位置Ｐ１〜Ｐ５に配置されるオブジェクトＯを抽出する。この場合、合焦位置Ｐ１〜Ｐ５に配置されるすべてのオブジェクトＯは操作部１０３によって選択可能となる。
【００３６】
また、パスワード入力用画像Ｐが合焦位置Ｐ４で合焦されている場合、抽出部１０６は、合焦位置Ｐ２〜Ｐ５に配置されるオブジェクトＯを抽出する。また、合焦位置Ｐ１に配置されるオブジェクトＯを抽出しない。この場合、合焦位置Ｐ２〜Ｐ５に配置されるオブジェクトＯは操作部１０３によって選択可能となり、合焦位置Ｐ１に配置に配置されるオブジェクトＯは操作部１０３によって選択不可能となる。
【００３７】
また、パスワード入力用画像Ｐが合焦位置Ｐ５で合焦されている場合、抽出部１０６は、合焦位置Ｐ３〜Ｐ５に配置されるオブジェクトＯを抽出する。また、合焦位置Ｐ１、Ｐ２に配置されるオブジェクトＯを抽出しない。この場合、合焦位置Ｐ３〜Ｐ５に配置されるオブジェクトＯは操作部１０３によって選択可能となり、合焦位置Ｐ１、Ｐ２に配置に配置されるオブジェクトＯは操作部１０３によって選択不可能となる。
【００３８】
また、抽出部１０６は、複数のオブジェクトＯを１つのオブジェクトＯとして抽出することができる。例えば、抽出部１０６は、属性の共通する複数のオブジェクトＯを１つのオブジェクトＯとして抽出する。図４（ｂ）は、オブジェクトＯの属性と、その属性に属するオブジェクトＯとの対応関係を示す表である。
【００３９】
図４（ｂ）に示すように、抽出部１０６は、オブジェクトＯを、例えばシンボルマーク（以下、属性（ア）と表記する）、人物（以下、属性（イ）と表記する）、人工物（以下、属性（ウ）と表記する）、自然物（以下、属性（エ）と表記する）、風景（以下、属性（オ）と表記する）、といった属性に分類することができる。
【００４０】
属性（ア）には、例えば上記の星形Ｏ１１、Ｏ１２やハート形Ｏ１３などが含まれる。属性（イ）には、例えば上記の人物Ｏ２１、Ｏ２２などが含まれる。属性（ウ）には、例えば上記の金網Ｏ１４や家屋Ｏ４２などが含まれる。属性（エ）には、例えば上記の樹木Ｏ３１、Ｏ４１、Ｏ４３や森林Ｏ５２などが含まれる。属性（オ）には、例えば上記の山Ｏ５１などが含まれる。なお、抽出部１０６は、上記のような属性ごとではなく、同一の合焦位置に含まれる複数のオブジェクトＯを１つのオブジェクトＯとして抽出してもよい。この場合、各オブジェクトＯは、合焦位置Ｐ１〜Ｐ５に対応したオブジェクトとなる。
【００４１】
入力部１０７は、操作部１０３を介してオブジェクトＯが選択される場合に、オブジェクトＯのそれぞれについて、選択されるオブジェクトＯと該オブジェクトＯの選択順序とを対応付けた情報を、所定動作のロック又はロック解除のパスワードとして入力する。
【００４２】
記憶部１０８は、パスワード入力用画像Ｐのデータを記憶する。記憶部１０８は、上記の処理部１０４、表示制御部１０５、抽出部１０６、入力部１０７で行われる各処理に関するプログラムやデータなどを記憶する。このようなプログラムとして、上記のパスワード管理プログラム等が挙げられる。
【００４３】
パスワード管理プログラムは、合焦位置を複数位置（合焦位置Ｐ１〜Ｐ５）に変更可能であり複数の合焦位置に亘ってオブジェクトＯが設けられるパスワード入力用画像Ｐを表示部１０２に表示させる表示処理と、表示部１０２に表示された複数のオブジェクトＯから、操作部１０３を介して選択可能な複数のオブジェクトＯを抽出する抽出処理と、操作部１０３を介してオブジェクトＯが選択される場合に、オブジェクトＯのそれぞれについて、選択されるオブジェクトＯと該オブジェクトＯの選択順序とを対応付けた情報を、所定動作のロック又はロック解除のパスワードとして入力する入力処理とを制御装置ＣＯＮＴに行わせる。パスワード管理プログラムは、上記の表示処理を表示制御部１０５に行わせる。また、パスワード管理プログラムは、上記の抽出処理を抽出部１０６に行わせる。また、パスワード管理プログラムは、上記の入力処理を入力部１０７に行わせる。
【００４４】
次に、上記のように構成された情報端末１００の動作を説明する。本実施形態では、情報端末１００の各種動作をロックするためのパスワードを設定する場合、又は、パスワードによって上記ロックを解除する場合に、使用者にパスワードを入力させる動作を例に挙げて説明する。
【００４５】
図５は、パスワードを入力させる動作を示すフローチャートである。図６（ａ）〜（ｍ）は、パスワードを入力させる動作において表示部１０２の表示状態を示す図である。以下、図５及び図６を用いて説明する。
【００４６】
まず、図５に示すように、使用者にパスワードを入力させる場合、制御装置ＣＯＮＴは、表示制御部１０５により、パスワード入力用画像Ｐを表示部１０２に表示させる（ステップＳ０１）。この動作により、図６（ａ）に示すように、表示部１０２には、パスワード入力用画像Ｐの初期画面が表示される。初期画面では、パスワード入力用画像Ｐは、合焦位置Ｐ２で合焦されている。
【００４７】
次に、制御装置ＣＯＮＴは、抽出部１０６により、表示部１０２に表示された複数のオブジェクトＯから、操作部１０３を介して選択可能な複数のオブジェクトＯを抽出させる（ステップＳ０２）。この場合、パスワード入力用画像Ｐが合焦位置Ｐ２で合焦されて表示部１０２に表示されているため、抽出部１０６は、図４（ａ）の表を用いて説明したように、合焦位置Ｐ１〜Ｐ４に配置されるオブジェクトＯを抽出する。また、抽出部１０６は、合焦位置Ｐ５に配置されるオブジェクトＯを抽出しない。これにより、合焦位置Ｐ１〜Ｐ４に配置されるオブジェクトＯは操作部１０３によって選択可能となり、合焦位置Ｐ５に配置に配置されるオブジェクトＯは操作部１０３によって選択不可能となる。なお、パスワード入力用画像Ｐは、合焦位置Ｐ２に合焦された状態で表示部１０２に表示されている。したがって、合焦位置Ｐ１又はＰ３に配置されるオブジェクトＯは、粗くなった状態で表示されている。本実施形態では、このように粗く表示されるオブジェクトＯについても選択可能となっている。
【００４８】
次に、制御装置ＣＯＮＴは、例えば処理部１０４により、使用者に最初のオブジェクトＯを選択するように指示する（ステップＳ０３）。この場合、処理部１０４は、例えばタッチパネル１０３ａによってオブジェクトＯを選択させる旨の内容を、表示部１０２に表示させてもよい。
【００４９】
制御装置ＣＯＮＴは、使用者によりオブジェクトＯの選択が行われたか否かを判断する（ステップＳ０４）。制御装置ＣＯＮＴは、オブジェクトＯの選択が行われていないと判断した場合（ステップＳ０４のＮＯ）、再度ステップＳ３に戻り、オブジェクトＯの入力が行われたか否かを繰り返し判断する。
【００５０】
オブジェクトＯの選択が行われたと判断した場合（ステップＳ０４のＹＥＳ）、制御装置ＣＯＮＴは、選択されたオブジェクトＯの内容と、選択された順序とを記憶部１０８に記憶させて、次の動作に移る。本実施形態では、図６（ｂ）に示すように、使用者によって例えば星形Ｏ１１が選択されることとする。使用者によって星形Ｏ１１が選択された場合、制御装置ＣＯＮＴは、選択された星形Ｏ１１の合焦位置Ｐ１でパスワード入力用画像Ｐを合焦させて表示部１０２に表示させる（ステップＳ０５）。これにより、図６（ｃ）に示すように、パスワード入力用画像Ｐの合焦位置は、合焦位置Ｐ２から合焦位置Ｐ１に切り替わる。
【００５１】
次に、制御装置ＣＯＮＴは、抽出部１０６により、表示部１０２に表示された複数のオブジェクトＯから、操作部１０３を介して選択可能な複数のオブジェクトＯを抽出させる（ステップＳ０６）。このように、抽出部１０６は、オブジェクトＯの選択が行われる毎に、抽出するオブジェクトＯを変更する。
【００５２】
この場合、パスワード入力用画像Ｐが合焦位置Ｐ１で合焦されて表示部１０２に表示されているため、抽出部１０６は、図４（ａ）の表を用いて説明したように、合焦位置Ｐ１〜Ｐ３に配置されるオブジェクトＯを抽出する。また、抽出部１０６は、合焦位置Ｐ４、Ｐ５に配置されるオブジェクトＯを抽出しない。これにより、合焦位置Ｐ１〜Ｐ３に配置されるオブジェクトＯは操作部１０３によって選択可能となり、合焦位置Ｐ４、Ｐ５に配置に配置されるオブジェクトＯは操作部１０３によって選択不可能となる。
【００５３】
次に、制御装置ＣＯＮＴは、例えば処理部１０４により、使用者に次のオブジェクトＯを選択するかオブジェクトＯの選択を完了するかを選ぶように指示する（ステップＳ０７）。この場合、処理部１０４は、例えばタッチパネル１０３ａによってオブジェクトＯを選択する旨の内容を表示部１０２に表示させると共に、タッチパネル１０３ａによってオブジェクトＯの選択を完了する旨のボタンを押すように表示部１０２に表示させる。
【００５４】
制御装置ＣＯＮＴは、使用者によりオブジェクトＯの選択が行われたか否かを判断する（ステップＳ０８）。制御装置ＣＯＮＴは、オブジェクトＯの選択が行われていないと判断した場合（ステップＳ０８のＮＯ）、オブジェクトＯの選択が完了されたか否かを判断する（ステップＳ０９）。オブジェクトＯの選択が完了されていないと判断した場合（ステップＳ０９のＮＯ）、再度ステップＳ０８及びステップＳ０９を繰り返す。
【００５５】
制御装置ＣＯＮＴは、オブジェクトＯの選択が行われたと判断した場合（ステップＳ０４のＹＥＳ）、ステップＳ０５からステップ０７の処理を繰り返し行わせる。本実施形態では、図６（ｄ）〜図６（ｍ）に示すように、パスワードを６回選択する場合を例に挙げて説明する。この場合、まず図６（ｄ）に示すように、使用者により２つ目のオブジェクトＯとして、例えばハート形Ｏ１３が選択される。使用者によってハート形Ｏ１３が選択された場合、制御装置ＣＯＮＴは、選択されたハート形Ｏ１３の合焦位置Ｐ１でパスワード入力用画像Ｐを合焦させて表示部１０２に表示させる。これにより、図６（ｅ）に示すように、パスワード入力用画像Ｐの合焦位置は、合焦位置Ｐ１のまま変わらない。
【００５６】
その後、制御装置ＣＯＮＴは、上記同様にステップＳ０６〜ステップ０７の動作を行わせる。そして、図６（ｆ）に示すように、使用者により３つ目のオブジェクトＯとして、例えば樹木Ｏ３１が選択される。使用者によって樹木Ｏ３１が選択された場合、制御装置ＣＯＮＴは、選択された樹木Ｏ３１の合焦位置Ｐ３でパスワード入力用画像Ｐを合焦させて表示部１０２に表示させる。これにより、図６（ｇ）に示すように、パスワード入力用画像Ｐの合焦位置は、合焦位置Ｐ１から合焦位置Ｐ３に変更される。
【００５７】
その後、図６（ｈ）、図６（ｊ）、図６（ｌ）に示すように、使用者により、４つ目のオブジェクトＯとして家屋Ｏ４２、５つめのオブジェクトＯとして森林Ｏ５２、６つ目のオブジェクトＯとして樹木Ｏ４１が選択される。この場合、制御装置ＣＯＮＴは、図６（ｉ）、図６（ｋ）、図６（ｍ）に示すように、表示制御部１０５により、それぞれ家屋Ｏ４２の合焦位置Ｐ４、森林Ｏ５２の合焦位置Ｐ５、樹木Ｏ４１の合焦位置Ｐ４に、合焦位置を変更して表示部１０２に表示させる。
【００５８】
そして、使用者が６つ目のオブジェクトＯを選択した後、ステップＳ０９において、選択完了のボタンを押した場合、制御装置ＣＯＮＴは、入力部１０７により、６つのオブジェクトＯのそれぞれについて、選択されるオブジェクトＯと該オブジェクトＯの選択順序とを対応付けた情報を、パスワードとして入力する（ステップＳ１０）。これにより、パスワードの入力が完了する。
【００５９】
なお、上記操作により、図６（ｃ）〜図６（ｍ）に示すように、表示部１０２（タッチパネル１０３ａ）の表面のうち、選択したオブジェクトＯに該当する箇所には、使用者の指紋の跡Ｆ１〜Ｆ６が残される。しかしながら、指紋の跡Ｆ１〜Ｆ６を見ただけでは、合焦位置Ｐ１〜Ｐ５のどの位置に配置されたオブジェクトＯを選択したかを判別できないため、パスワードを正確に推定することは困難である。また、オブジェクトＯを選択するルール自体を記憶するのではなく、設定したルールに合致したパスワード入力用画像ＰからオブジェクトＯを選択するので、使用者が覚えやすく、忘れにくい。
【００６０】
以上のように、本実施形態では、合焦位置を複数位置（合焦位置Ｐ１〜Ｐ５）に変更可能であり複数の合焦位置Ｐ１〜Ｐ５に亘ってオブジェクトＯが設けられるパスワード入力用画像Ｐを表示部１０２に表示させ、表示部１０２に表示された複数のオブジェクトＯから、操作部１０３を介して選択可能な複数のオブジェクトＯを抽出し、操作部１０３を介してオブジェクトＯが選択される場合に、オブジェクトＯのそれぞれについて、選択されるオブジェクトＯと該オブジェクトＯの選択順序とを対応付けた情報を、所定動作のロック又はロック解除のパスワードとして入力するため、パスワードの推定が困難となる。これにより、高いセキュリティを確保することが可能な情報端末１００を提供することができる。
【００６１】
また、本実施形態において、抽出部１０６がオブジェクトＯを属性（ア）〜（オ）などの属性に分類するため、例えばパスワードを解除する場合、パスワードとして設定されたオブジェクトＯの属性と同一の属性を使用者が選択することにより、異なるオブジェクトＯを選択してもパスワードを解除できるように設定することができる。したがって、従来のようにパスワード入力用画像Ｐが必ずしも単一の構成でなくてもよく、パスワード入力用画像Ｐに同一属性のオブジェクトＯが存在し、そのオブジェクトＯが解除用のパスワードとして入力可能な状態であればよい。
【００６２】
この場合、表示制御部１０５は、情報端末１００が保有している複数のオブジェクトＯからこのような条件に合致するオブジェクトＯをランダムな位置で表示させればよい。これにより、表示部１０２（タッチパネル１０３ａ）上における使用者の選択位置及び選択順序は、オブジェクトＯの位置の変化と、各合焦位置Ｐ１〜Ｐ５に配置されるオブジェクトＯの距離と、オブジェクトＯの属性情報との組み合わせによって、数多くのパターンを取りうる。このため、同じパスワードを解除する場合であっても、同一の選択位置及び選択順序になる可能性は極めて低い。よって、パスワードを解除する際の使用者の選択順序を他人が見て繰り返しただけでは、パスワードを解除することができない。このため、情報端末１００の強固なロックを実現することができる。
【００６３】
＜第２実施形態＞  
次に、本発明の第２実施形態を説明する。  
本実施形態では、電子機器の例として、上記のパスワード入力用画像Ｐを取得する手段であるライトフィールドカメラ１について説明する。
【００６４】
図７は、撮像装置の一例であるライトフィールドカメラ１における光学系部分の概略構成を示す断面図である。なお、図７において、紙面の右方向（光軸方向）をＸ軸とし、Ｘ軸と直交する紙面の上方向をＺ軸とし、Ｘ軸及びＺ軸と直交する紙面の裏から表に向かう方向をＹ軸としている。また、図７は、ライトフィールドカメラ１における光学系部分を光軸を含む面で切断したときの断面図である。
【００６５】
本実施形態のライトフィールドカメラ１は、三次元空間の光線集合であるライトフィールド（光線空間）の情報を取得し、取得したライトフィールドの情報に基づいて画像を生成する。以下の説明では、ライトフィールドの情報を光線情報という。ライトフィールドカメラ１の代表的な機能としては、撮影後の後処理によって焦点距離を変更した画像を生成するリフォーカス機能がある。従って、ライトフィールドカメラ１はリフォーカスカメラとも呼ばれる。
【００６６】
本実施形態のライトフィールドカメラ１は、その光学系部分として、撮影光学系（結像光学系）１１及びマイクロレンズアレイ１２を備えている。なお、図７には、ライトフィールドカメラ１における光学系部分以外の構成である撮像素子２０についても示している。
【００６７】
撮影光学系１１は、複数のレンズ群で構成される単焦点レンズである。撮影光学系１１は、被写体からの光束をその焦点面（結像面）近傍に結像する。また、撮影光学系１１は、撮影時に絞り値（Ｆ値）を制御する開口絞り（不図示）を備えている。なお、絞り値は撮影後の画像の再構成によって変更することができるため、開口絞りの開口径は固定でもよい。図７に示すように、撮影光学系１１の焦点面近傍にマイクロレンズアレイ１２と撮像素子２０とが順に配置されている。
【００６８】
マイクロレンズアレイ１２は、正のパワーを有した複数のマイクロレンズ（正レンズ）が二次元状に配置された構成となっている。なお、図７に示すマイクロレンズアレイ１２においては、３つのマイクロレンズだけがＺ軸方向に配されているが、実際はＺ軸方向及びＹ軸方向に多数のマイクロレンズが配されている。
【００６９】
撮像素子２０は、マイクロレンズアレイ１２の後側（撮影光学系１１の反対側）に若干の間隔をおいて配置されている。この撮像素子２０は、マイクロレンズアレイ１２の各マイクロレンズを通過した光束を複数の光電変換素子で受光し、各々の光電変換素子が受光した光束を光電変換して複数の画素信号を生成する。複数の光電変換素子はマトリックス状に配列され、各々の光電変換素子が画素を形成する。本実施形態では、撮像素子２０は、ＣＣＤ(Charge Coupled Device)やＣＭＯＳ(Complementary
Metal-Oxide Semiconductor)などの二次元固体撮像素子で構成されている。
【００７０】
図７の部分拡大図に示す例では、複数のマイクロレンズ１２ａ，１２ｂ，１２ｃの各々の後側に複数個ずつ画素が配列されている。具体的には、マイクロレンズ１２ａの後側に３つの画素２１ａ，２１ｂ，２１ｃが配列され、マイクロレンズ１２ｂの後側に３つの画素２２ａ，２２ｂ，２２ｃが配列され、マイクロレンズ１２ｃの後側に３つの画素２３ａ，２３ｂ，２３ｃが配列されている。
【００７１】
３つの画素２１ａ，２１ｂ，２１ｃがマイクロレンズ１２ａに対応する画素２１であり、３つの画素２２ａ，２２ｂ，２２ｃがマイクロレンズ１２ｂに対応する画素２２であり、３つの画素２３ａ，２３ｂ，２３ｃがマイクロレンズ１２ｃに対応する画素２３である。なお、図７の部分拡大図では、各マイクロレンズ１２ａ，１２ｂ，１２ｃに対応する画素として３つの画素を示しているが、実際はＺ軸方向及びＹ軸方向に多数の画素が配列されている（後述する図８参照）。
【００７２】
次に、図７を参照してライトフィールドカメラ１によるライトフィールドの取得について簡単に説明する。図７において、Ａの位置にある被写体が撮影光学系１１によってマイクロレンズアレイ１２の位置に焦点を結ぶものとする。被写体上の点Ａ１からの光線は、撮影光学系１１の瞳上の部分領域１１ａを通過し、マイクロレンズ１２ａを通過して撮像素子２０の画素２１ｃで受光される。また、被写体上の点Ａ１からの他の光線は、撮影光学系１１の瞳上の部分領域１１ｂを通過し、マイクロレンズ１２ａを通過して撮像素子２０の画素２１ｂで受光される。また、被写体上の点Ａ１からの他の光線は、撮影光学系１１の瞳上の部分領域１１ｃを通過し、マイクロレンズ１２ａを通過して撮像素子２０の画素２１ａで受光される。
【００７３】
同様に、被写体上の点Ａ２からの光線は、撮影光学系１１の瞳上の部分領域１１ａを通過し、マイクロレンズ１２ｂを通過して撮像素子２０の画素２２ｃで受光される。また、被写体上の点Ａ２からの他の光線は、撮影光学系１１の瞳上の部分領域１１ｂを通過し、マイクロレンズ１２ｂを通過して撮像素子２０の画素２２ｂで受光される。また、被写体上の点Ａ２からの他の光線は、撮影光学系１１の瞳上の部分領域１１ｃを通過し、マイクロレンズ１２ｂを通過して撮像素子２０の画素２２ａで受光される。
【００７４】
さらに、被写体上の点Ａ３からの光線は、撮影光学系１１の瞳上の部分領域１１ａを通過し、マイクロレンズ１２ｃを通過して撮像素子２０の画素２３ｃで受光される。また、被写体上の点Ａ３からの他の光線は、撮影光学系１１の瞳上の部分領域１１ｂを通過し、マイクロレンズ１２ｃを通過して撮像素子２０の画素２３ｂで受光される。また、被写体上の点Ａ３からの他の光線は、撮影光学系１１の瞳上の部分領域１１ｃを通過し、マイクロレンズ１２ｃを通過して撮像素子２０の画素２３ａで受光される。このように、Ａの位置にある被写体からの光線は、マイクロレンズ１２ａ，１２ｂ，１２ｃの後側に位置する撮像素子２０の画素で受光されることによって明るさと進行方向とが光線情報として取得される。
【００７５】
マイクロレンズ１２ａ，１２ｂ，１２ｃそれぞれに対応する３つの画素のうち、下側の画素２１ｃ，２２ｃ，２３ｃの画素信号で生成される画像は、部分領域１１ａを通過した光線による像である。また、真中の画素２１ｂ，２２ｂ，２３ｂの画素信号で生成される画像は、部分領域１１ｂを通過した光線による像である。また、上側の画素２１ａ，２２ａ，２３ａの画素信号で生成される画像は、部分領域１１ｃを通過した光線による像である。例えば各マイクロレンズに対応する画素数がＮ個である場合、マイクロレンズに対して同じ位置にある画素の画素値を配列して構成されるＮ個の再構成画像は、撮影光学系１１をＮ個の部分領域に分割して取得されるＮ個のステレオ画像群を形成する。
【００７６】
図８は、撮像素子２０の画素配列と入射領域とを説明する図である。なお、図８では図７のＸ軸方向から撮像素子２０を観察した様子を示す。図８に示す撮像素子２０において、画素が配列された領域を画素領域２００という。画素領域２００には例えば１０００万個以上もの画素がマトリックス状に配列されている。画素領域２００における円形の領域は、１つのマイクロレンズを通過した光線が入射する領域である。従って、円形の領域は、複数のマイクロレンズごとに複数形成される。これらの領域を入射領域２０１，２０２・・・という。なお、マイクロレンズは例えば５８６×４４０個配置される。ただし、このような配置数は一例であって、これよりも多い数でも少ない数でもよい。図８に示す例では、１つのマイクロレンズの直径は１３画素分となっている。ただし、このような画素数分に限定されるわけではない。
【００７７】
上述したように、ライトフィールドカメラ１は、すべてのマイクロレンズから入射領域における同じ位置（入射領域内におけるＹ軸方向及びＺ軸方向の同じ位置）にある画素の画素値を抽出して再構成する。このようにして得られた再構成画像群は、撮影光学系１１の異なる部分領域から被写体を観察した画像群に相当する。従って、これらの再構成画像群においては、部分領域の位置と被写体までの距離に応じた視差を有する。例えば、図８に示すように、入射領域２０１における画素２０１ａと同じ位置にある各マイクロレンズの画素の画素値から構成される再構成画像と、入射領域２０１における画素２０１ｂと同じ位置にある各マイクロレンズの画素の画素値から構成される再構成画像とで視差を有する。
【００７８】
図９は、ライトフィールドカメラ１の構成を示すブロック図である。図９に示すライトフィールドカメラ１は、撮像部１０、画像処理部３０、ワークメモリ４０、表示部５０、操作部５５、記録部６０、音声出力部６５、及びシステム制御部７０を備える。撮像部１０は、撮影光学系１１、マイクロレンズアレイ１２、駆動制御部１３、撮像素子２０、及び駆動部２１を有している。撮影光学系１１及びマイクロレンズアレイ１２は、図７において説明したため、図９においては説明を省略する。
【００７９】
撮像素子２０の撮像面には、例えばベイヤー配列のカラーフィルタアレイが配置されている。撮像素子２０は、撮影光学系１１及びマイクロレンズアレイ１２を通過した光束を入射する。撮像素子２０は、入射した光束を光電変換してアナログ信号の各画素の画素信号を生成する。撮像部１０において、不図示のアンプがアナログ信号の各画素の画素信号を所定の利得率（増幅率）で増幅する。また、不図示のＡ／Ｄ変換部がアンプにより増幅されたアナログ信号の各画素の画素信号をデジタル信号の各画素の画素信号に変換する。そして、撮像部１０は、デジタル信号の各画素の画素信号からなるＲＡＷデータを画像処理部３０に出力する。上記したライトフィールドカメラ１が取得する光線情報は、撮像部１０から出力されるＲＡＷデータで特定される。
【００８０】
駆動制御部１３は、撮影光学系１１が備える開口絞りの開口径調節を行うために、システム制御部７０から送信される制御情報に基づいて開口絞りの駆動制御を実行する。駆動部２１は、システム制御部７０からの指示信号に基づいて設定される撮像条件で撮像素子２０の駆動を制御する制御回路である。撮像条件としては、例えば、露光時間（シャッター速度）、フレームレート、ゲインなどがあげられる。
【００８１】
ここで、露光時間とは、撮像素子２０の光電変換素子が入射光に応じた電荷の蓄積を開始してから終了するまでの時間のことをいう。また、フレームレートとは、動画において単位時間あたりに処理（表示又は記録）されるフレーム数を表す値のことをいう。フレームレートの単位はｆｐｓ（Frames Per Second）で表される。また、ゲインとは、画素信号を増幅するアンプの利得率（増幅率）のことをいう。このゲインを変更することにより、ＩＳＯ感度を変更することができる。このＩＳＯ感度は、ＩＳＯで策定された写真フィルムの規格であり、写真フィルムがどの程度弱い光まで記録することができるかを表す。ただし、一般に、撮像素子２０の感度を表現する場合もＩＳＯ感度が用いられる。この場合、ＩＳＯ感度は撮像素子２０が光をとらえる能力を表す値となる。
【００８２】
画像処理部３０は、各画素の画素信号からなるＲＡＷデータに対して種々の画像処理を施し、所定のファイル形式（例えば、ＪＰＥＧ形式等）の画像データを生成する。画像処理部３０が生成する画像データには、静止画、動画、ライブビュー画像の画像データが含まれる。ライブビュー画像は、画像処理部３０で生成された画像データを表示部５０に順次出力して表示部５０に表示される画像である。ライブビュー画像は、撮像部１０により撮像されている被写体の画像を使用者が確認するために用いられる。ライブビュー画像は、スルー画やプレビュー画像とも呼ばれる。
【００８３】
画像処理部３０は、ワークメモリ４０をワークスペースとして、各画素の画素信号からなるＲＡＷデータに対して所定の画像処理を施すことにより任意の焦点距離に設定された画像データを生成する。具体的には、画像処理部３０は、次に示す画像処理を施すことにより任意の焦点距離に設定された画像データを生成する。
【００８４】
図１０は、画像の再構成を説明する図である。図１０に示すように、画像処理部３０は、画素領域２００における各入射領域２０１，２０２・・・に対して同じ位置にある画素２０１ａ，２０２ａ・・・の画素値（画素信号が示す値）を抽出する。画像処理部３０は、抽出した画素値を並べ直して再構成画像データ４００ａを生成する。各入射領域２０１，２０２・・・に対応する画素数がＮ個である場合、Ｎ個の再構成画像データが生成される。
【００８５】
画像処理部３０は、Ｎ個の再構成画像データ群を所定の焦点距離に合わせて所定量だけ平行移動させる。そして、画像処理部３０は、平行移動後のＮ個の再構成画像データ群を加算平均する。これにより、所定の焦点距離に設定された画像データが生成される。移動量に応じた奥行きに存在する被写体は像の位置が合うのでシャープな輪郭の像が形成される。移動量に応じた奥行きに存在しない被写体の像はぼける。なお、上記した画像処理は一例であって、画像処理部３０は上記した画像処理とは異なる画像処理を実行することにより、任意の焦点距離に設定された画像データを生成してもよい。例えば、画像処理部３０は、撮像素子２０の各画素が取得する光線を所定の演算を行うことによって算出する。そして、画像処理部３０は、算出した光線を所定の焦点距離に設定した仮想的な画像面に投影することにより、所定の焦点距離に設定された画像データを生成する。
【００８６】
本実施形態においては、画像処理部３０は、最も手前の被写体に合焦した画像データ、最も奥の被写体に合焦した画像データ、中間位置の被写体に合焦した画像データなど、焦点位置（焦点距離）が異なる複数の画像データを生成する。
【００８７】
画像処理部３０は、ワークメモリ４０をワークスペースとして、任意の焦点に設定された画像データに対して種々の画像処理を施す。例えば、画像処理部３０は、ベイヤー配列で得られた信号に対して色信号処理（色調補正）を行うことによりＲＧＢ画像データを生成する。また、画像処理部３０は、ＲＧＢ画像データに対して、ホワイトバランス調整、シャープネス調整、ガンマ補正、階調調整などの画像処理を行う。また、画像処理部３０は、必要に応じて、所定の圧縮形式（ＪＰＥＧ形式、ＭＰＥＧ形式等）で圧縮する処理を行う。
【００８８】
画像処理部３０は、画像データから一又は複数の被写体を検出する。本実施形態では、画像処理部３０は、画像データにおける明部と暗部のコントラストや色変化に基づいて被写体の領域の境界を特定して被写体を検出する。なお、画像処理部３０は、人物の被写体に対しては、公知の顔検出機能を用いて被写体の検出を行ってもよい。また、画像処理部３０は、移動する被写体（移動被写体）に対しては、時系列的に得られる複数の画像データを比較して移動被写体を検出してもよい。また、画像処理部３０は、顔検出に加えて、例えば特開２０１０−１６６２１号公報（ＵＳ２０１０／０００２９４０号）に記載されているように、画像データに含まれる人体を被写体として検出してもよい。
【００８９】
また、画像処理部３０は、検出した各被写体までの距離（焦点距離）を検出（算出）する。例えば、画像処理部３０は、複数の再構成画像データ（例えば入射領域における２つの特定位置の画素の画素値から構成される再構成画像データ）における各被写体の視差を検出し、検出した視差に基づいて各被写体までの距離を算出する。
【００９０】
画像処理部３０は、生成した画像データを記録部６０に出力する。また、画像処理部３０は、生成した画像データを表示部５０に出力する。また、画像処理部３０は、検出した被写体のサイズ及び画像データ中の位置を画素単位で示す位置データを記録部６０に出力する。また、画像処理部３０は、検出した各被写体までの距離を示す距離データを記録部６０に出力する。
【００９１】
ワークメモリ４０は、画像処理部３０による画像処理が行われる際にＲＡＷデータや画像データなどを一時的に記憶する。表示部５０は、撮像部１０で撮像された画像や各種情報を表示する。この表示部５０は、例えば液晶表示パネルなどで構成された表示画面５１を有している。なお、表示部５０に表示される画像には、静止画、動画、ライブビュー画像が含まれる。
【００９２】
操作部５５は、使用者によって操作されるレリーズスイッチ（静止画の撮影時に押されるスイッチ）、動画スイッチ（動画の撮影時に押されるスイッチ）、各種の操作スイッチなどである。この操作部５５は、使用者による操作に応じた信号をシステム制御部７０に出力する。記録部６０は、メモリカードなどの記憶媒体を装着可能なカードスロットを有する。記録部６０は、カードスロットに装着された記録媒体に画像処理部３０において生成された画像データや各種データを記憶する。また、記録部６０は、内部メモリを有する。記録部６０は、画像処理部３０において生成された画像データや各種データを内部メモリに記録することも可能である。音声出力部６５は、システム制御部７０からの指示信号に基づいてスピーカから音声出力を実行する。
【００９３】
システム制御部７０は、ライトフィールドカメラ１の全体の処理及び動作を制御する。このシステム制御部７０はＣＰＵ（Central Processing Unit）を有する。システム制御部７０は、画像処理部３０で生成された画像データを表示部５０に出力させて、表示部５０の表示画面５１に画像（ライブビュー画像、静止画、動画）を表示させる制御を行う。また、システム制御部７０は、記録部６０に記録されている画像データを読み出して表示部５０に出力させ、表示部５０の表示画面５１に画像を表示させる制御を行う。
【００９４】
また、システム制御部７０は、撮像素子２０の撮像面（画素領域２００）において所定の撮像条件（露光時間、フレームレート、ゲインなど）で撮像を行わせるために、所定の撮像条件を指示する指示信号を駆動部２１に対して出力する。また、システム制御部７０は、画像処理部３０に所定の制御パラメータ（色信号処理、ホワイトバランス調整、階調調整、圧縮率などの制御パラメータ）で画像処理を実行させるために、制御パラメータを指示する指示信号を画像処理部３０に出力する。また、システム制御部７０は、画像処理部３０で生成された画像データを記録部６０に出力させて、記録部６０に画像データを記録させる制御を行う。また、システム制御部７０は、画像処理部３０で検出された各被写体の位置データ及び距離データを記録部６０に出力させて、被写体ごとに画像データと位置データ及び距離データとを対応付けて記録部６０に記録させる制御を行う。なお、システム制御部７０は、上記の制御の他に、撮影光学系１１に備えられた開口絞りの開口径調節などの制御も行う。
【００９５】
上記のように構成されたライトフィールドカメラ１が、更に第１実施形態に記載の表示制御部１０５、抽出部１０６、入力部１０７に対応する構成を有する構成であってもよい。この場合、ライトフィールドカメラ１にパスワードを入力する場合、上記実施形態で説明した手法によってパスワードを入力することができる。これにより、パスワードの推定が困難であり、高いセキュリティを確保することが可能な情報端末１００を提供することができる。また、ライトフィールドカメラ１の各部に対応する構成が情報端末１００に搭載されてもよい。
【００９６】
本発明の技術範囲は上記実施形態に限定されるものではなく、本発明の趣旨を逸脱しない範囲で適宜変更を加えることができる。  
例えば、上記第１実施形態では、パスワード入力用画像Ｐに配置されるオブジェクトＯが、表示部１０２上で固定位置に配置された構成を例に挙げて説明したが、これに限定されるものではない。例えば、予め設定されたパスワードを入力する場合において、表示制御部１０５は、表示部１０２におけるオブジェクトＯの表示位置を変更して表示させてもよい。
【００９７】
このとき、表示制御部１０５は、複数のオブジェクトＯが設定された順序（所定順序）で選択可能となるように、表示位置を変更させる。つまり、次に選ぶべきオブジェクトＯが、抽出部１０６によって抽出されない位置には配置されないように、オブジェクトＯの表示位置を変更させる。これにより、表示部１０２に残る指紋の跡が入力のたびに異なるため、指紋の跡を見ただけではパスワードの推定が困難となる。
【００９８】
また、上記実施形態では、パスワード入力用画像Ｐとして、ライトフィールドの情報に基づいて生成された画像が用いられる例について説明したが、これに限定されるものではない。例えば、パスワード入力用画像Ｐとして、合焦位置を変化させながら連写する（フォーカスブラケット）ことにより取得された画像が用いられてもよい。この場合、複数の画像が用いられるため、画像間の関連付けを行い、オブジェクトＯにマーカを埋め込めばよい。また、フォーカスブラケットによって取得した一連の画像ではなく、所定のオブジェクトＯを合成して新たなパスワード入力用画像Ｐを生成してもよい。
【符号の説明】
【００９９】
１…ライトフィールドカメラ（電子機器）、１００…情報端末（電子機器）、１０２…表示部、１０３…操作部、１０４…処理部、１０５…表示制御部、１０６…抽出部、１０７…入力部、Ｏ…オブジェクト、Ｐ…パスワード入力用画像、Ｐ１〜Ｐ５…合焦位置
【図１】
2015148880.tif 000003
【図５】
2015148880.tif 000004
【図７】
2015148880.tif 000005
【図８】
2015148880.tif 000006
【図９】
2015148880.tif 000007
【図２】
2015148880.tif 000008
【図３】
2015148880.tif 000009
【図４】
2015148880.tif 000010
【図６】
2015148880.tif 000011
【図１０】
2015148880.tif 000012